(57)【要約】【課題】オフィスなどで持ち歩くうちわにおいて、しっかりした握り部と、有効に風を送る平らな扇部という構成を維持したまま、新たな手荷物とならず、また人の目にもつかずに携帯できるうちわを提供する。【解決手段】うちわ全体のたて横最大寸法を、２穴固定式のファイルのたて横最大寸法以下とし、うちわにはファイルにとじるためのとじ穴を設けるか、あるいはパンチ穴を開けるための合せマークを設け、うちわをファイルにとじた際、うちわがファイルからはみ出さない位置に合せマーク、とじ穴を設定する。【選択図】図１
2007222524.tif 000002
【特許請求の範囲】
【請求項１】
ＪＩＳ規格で規定する穴径、穴ピッチに適合した２穴開け用のパンチを用いて穴開けすることで、２穴固定式のファイルにとじることが可能で、うちわ全体のたて横の最大寸法をファイルのたて横最大寸法以下とし、かつ、とじた際にうちわがファイルからはみ出さない位置に穴開けするための合せマークを設けたことを特徴とするうちわ。
【請求項２】
ＪＩＳ規格で規定する穴径、穴ピッチに適合した２穴開け用のパンチを用いて穴開けした用紙をとじるための２穴固定式のファイルに、用紙と同様にとじることが可能な二つのとじ穴を有し、うちわ全体のたて横の最大寸法をファイルのたて横最大寸法以下とし、前記とじ穴は、ファイルにとじた際にうちわがファイルからはみ出さない位置に設けたことを特徴とするうちわ。
【発明の詳細な説明】
【技術分野】
【０００１】
本発明は、オフィスなど、ファイルを持ち歩くことが多い環境で、うちわを書類用紙と同様に２穴固定式のファイルにとじて携帯することが可能なうちわに関するものである。
【背景技術】
【０００２】
近年、省エネルギーや地球温暖化防止の目的から、夏場の冷房を控える取組みがなされ、オフィスでは冷房温度設定を高めとしている企業も多い。このような環境では、個々人が扇子やうちわを用いて暑さをしのぐ行為が行われている。扇子は、小さくたためて携帯性にすぐれているが、風を送る効率という面ではうちわのほうがすぐれている。扇子は簡単に折りたためる反面、多数の折り癖がついた扇部となっているため送風効率が悪いことと、自然とたたまれてしまわないように握る手に力を入れていなければなならないという不便さもある。また、携帯性にすぐれた扇子でも、たたんだ状態でポケットに入れたり、手に持ったりと、小さいながらも一つの独立した荷物であり、小さいゆえにどこかへ置き忘れてくる危険性もある。
【０００３】
これに対してうちわは、平らな扇部としっかりした握り部を有し、手の疲れを最小限として多くの風を効率的に送る機能があり、夏場にはかかせない道具である。うちわの欠点は、自宅やプライベートな時間に持ち歩くには問題ないが、たとえば会社の勤務時間中に持ち歩くには、マナーやルール上の制約を受ける場合があることである。しかし、会議中に扇子で暑さをしのぎながら議論するということはよく見られる光景で、ここにうちわがあれば、扇子同様に使うのに違和感はない。うちわの欠点は、前記したように仕事中などに、それを単体で持ち歩くには大きさ、デザインに難点があることと、仮に手に持って歩いたとしても、扇子に比べるとじゅうぶん大きな荷物になるという点である。書類の間に挟むという方法もあるが、一般的なうちわの形状は、よく用いるＪＩＳ規格で規定するＢ５やＡ４用紙よりも大きく、また挟んだだけでは落とす危険性もあるため、バッグなどに入れなければならなかった。
【０００４】
このようなうちわの欠点を改善する方法として、携帯性を向上させた各種の携帯用うちわがある。扇部に相当する部分を、多数の板体に分割し、各板体の一部を連結することで、携帯時には小さく縮小したり、使用時には大きく拡大できるうちわがある（たとえば特許文献１など）。しかし、この方法によっては、縮小して小さくなっても、やはり小さな荷物であり、ポケットに入れたり、バッグに入れて持ち運ぶ必要があった。その他にも多数発明されている従来の携帯用うちわの特徴は、使用しない時に小さくする研究が主体で、このために、しっかりした握り部ではなく、穴に指を入れてうちわを保持したり、また、扇部に折り目をつけたり部品を分割するなどの方法により、うちわ本来の送風効率を落とすとともに、製造コストを増加させる原因にもなっていた。
【特許文献１】特開平１０−９４４１１号公報
【発明の開示】
【発明が解決しようとする課題】
【０００５】
解決しようとする課題は、しっかりした握り部と、有効に風を送る平らな扇部を維持したまま、新たな手荷物とならず、落とす心配もなく、人の目にもつかずに持ち運べるうちわを提供することである。
【課題を解決するための手段】
【０００６】
伝統的形状のうちわは、手の疲れを最小限にする握り部と、効率よく風を送る平らな扇部をもっている。この特性を損なうことなく、オフィスなどで持ち歩くための手段として、本発明はうちわを２穴固定式のファイルに、書類などの用紙と同様にとじて持ち運ぶことを可能とし、かつファイルにとじたうちわが、ファイルからはみ出して邪魔にならないようにするものである。
【発明の効果】
【０００７】
本発明によるうちわは、折りたたみではない一枚の平らな扇部と、しっかりした握り部を有すことから、うちわ本来の、手の疲れを最小限として有効に風を送る機能を維持することができる。その上で、オフィスでよく持ち歩く２穴固定式ファイルに固定して、ファイルからはみ出さずに持ち運べるため、新たな荷物とならないほか、使用する場合以外は人目につかずに、落とす心配もなく持ち歩けるという効果がある。さらにコスト的には、パンチ穴を開けるための合せマークを設けたり、予めとじ穴を設けておくという方法であるため、コスト増加は少ない。
【発明を実施するための最良の形態】
【０００８】
うちわ全体のたて横最大寸法は、２穴固定式のファイルからはみ出さないようにするため、ファイルのたて横最大寸法以下とする。ただし、ファイルにも、製造元の仕様により大きさに若干の違いがあるため、特定の製造元や型番のファイル専用とする場合を除き、ＪＩＳ規格が規定するフラットファイルの寸法をうちわの最大寸法に設定すると、ほとんどの製造元、型番のファイルからはみださないうちわとすることができる。また、ファイルにとじる用紙寸法をうちわの最大寸法に設定すれば、ファイルからはみ出さないことはもちろんだが、２穴を固定する前に、用紙とうちわをいっしょに手で持って束ねて端をそろえて、そのままいっしょにファイルにとじることができる。さらには、ファイルにとじる以前に、一時的に束ねてシート形の簡易ファイルに挟んでおくということもできる。ここでいうシート形の簡易ファイルとは、薄いプラスチックシートを２枚重ねた形状で、２辺は閉鎖、他の２辺が開放となっていてここから用紙を挟むもので、用紙寸法より大きいものははみ出してしまうタイプのものである。
【０００９】
ＪＩＳ規格が規定するフラットファイルをはじめ、２穴を固定するファイルには、それぞれとじる用紙寸法に対応した種類があり、とじる用紙寸法とその呼びはＪＩＳ規格で規定している。本発明によるうちわは、このなかで、呼びＡ４とＢ５のサイズを対象としている。つまり実験結果より、Ａ４より大きいファイルサイズに対応するうちわは、手に持って使うには大きすぎて手への負担が大きく、さらにＢ５よりも小さいファイルサイズに対応するうちわでは、十分な風を送ることができず、いずれの場合もうちわとしての本来の利点を損なうためである。
【００１０】
本発明は、Ｂ５ファイル用、Ａ４ファイル用とも、次の特徴を有す。うちわ全体の大きさはファイルのたて横の最大寸法以下とする。また、うちわには、２穴を開けてファイルにとじた際、うちわのいずれかの部分でもファイルからはみ出さないようにするための合せマークを設ける。２穴パンチには、２つの穴のピッチの中心を示す表示がある。この表示と合せマークを一致させて穴を開けることで、うちわがファイルからはみ出さない位置に合せマークを設けるものである。
【００１１】
さらにもう一つの発明は、Ｂ５ファイル用、Ａ４ファイル用とも、次の特徴を有す。うちわ全体の大きさはファイルのたて横最大寸法以下とする。うちわには、２穴パンチで穴開けした用紙をとじるためのファイルに、用紙とともにうちわをとじるための二つのとじ穴を設け、このとじ穴は、ファイルにとじた際にうちわのいずれかの部分もファイルからはみ出さない位置に設ける。この際、うちわに設ける二つのとじ穴は、必ずしも円形でなくてもよい。たとえば多角形に抜いた場合は、多角形のとじ穴の内側に、ＪＩＳ規格で規定するパンチの穴径と同じ大きさの円が納まる寸法以上であればよい。さらにＪＩＳ規格で規定するパンチの穴径より大きくなってもよい。穴径を大きくした場合、ファイルにとじやすくなるが、とじたあとにファイルの中でうちわが動く範囲が大きくなる。しかし、どの方向に動いた場合も、ファイルからはみださない位置にとじ穴を設定すれか、うちわのたて横最大寸法をファイルのたて横最大寸法より小さめにすることで問題は生じない。ただし、二つのとじ穴のピッチは、ＪＩＳ規格で規定するパンチの穴ピッチと同一でなければならない。またとじ穴を、完全に抜かずに、カッターで切り込みを入れた状態で提供してもよい。そうすることで、ファイルにとじる必要がない使用者は、そのままうちわの絵柄模様を損なうことなく使用できる。そして、ファイルにとじる必要があるとき、指でとじ穴の位置を押すと、予め入れられた切り込みによって、穴の内側が抜け落ちるというような製品とすることも可能である。
【００１２】
以上により、２穴固定でファイルにとじた際に、ファイルからはみ出さずに持ち運べるうちわとすることができる。
【実施例１】
【００１３】
図１は本発明の第１の実施例を示す平面図である。うちわは、握り部１と扇部２から構成されている。うちわ全体のたて横の最大寸法をファイルのたて横最大寸法以下とするという本発明の特徴を満たしながら、穴開け位置の説明のために、うちわの最大寸法を２点鎖線で示したＡ４用紙１０と同一にした場合の実施例である。うちわの材質は、従来からの竹製に加え、近年ではプラスチック製が多く出回り、握り部１と扇部２の材質にもいろいろなものがあるが、本実施例では、握り部１を薄い木材で、扇部２を厚紙で形成し、両者を接着固定した場合を示している。パンチ穴４は、Ａ４用紙１０に予めファイルにとじるために開けたものを破線で示しており、長辺と短辺それぞれに穴開けした場合を示している。パンチ穴４の位置は、Ａ４用紙１０の長辺、短辺それぞれの中心と、それぞれ二つのパンチ穴４のピッチの中心が同一となる位置に開けている。うちわの扇部２には、合せマーク３を２箇所に印刷により設けた。合せマーク３の位置は、図示しないパンチの中心を示す表示と、合せマーク３を一致させて穴開けした場合に、Ａ４用紙１０とうちわを同図のように重ねて置いた場合に、破線で示したパンチ穴４と同じ位置に穴が開く位置としていることが特徴である。この場合、うちわは図示しないＡ４用ファイルからはみ出さないことに加え、Ａ４用ファイルにとじたＡ４用紙１０からもはみ出さないこととなる。また、合せマーク３を２箇所設けたのは、ファイルによっては、用紙の短辺側をとじるものと長辺側をとじるものがあるため、その両方に対応するためである。また、２辺ある長辺側両方に合せマーク３を設けても問題ない。
【００１４】
ここで、パンチでの穴開け位置の奥行きに関しては、奥行き固定式のパンチの場合の奥行き寸法をＪＩＳ規格では規定しており、奥行き調整機能のあるパンチについては規定の対象としていない。つまり、図１のＡ４用紙１０の、パンチ穴４の中心から最も近いＡ４用紙１０の端部までの距離が奥行きに相当する。よって、奥行き寸法固定式のパンチでうちわに穴あけした場合は問題ないが、奥行き寸法調整機能があるパンチを用いる場合は、奥行き寸法を大きくして穴をあけると、ファイルにとじられない場合があるため、奥行き寸法調整機能があるパンチを使用する場合は、奥行き寸法を小さめに設定して穴開けするとよい。図５は、奥行き寸法について説明するために、２穴固定式ファイルの概略構造を示した斜視図である。ファイルは、表紙６ａと、裏表紙６ｂ、その間をつなぐ背６ｄで構成され、裏表紙６ｂの側にはとじ具６ｃが固定されている。とじ具６ｃに、用紙のパンチ穴４を通した後、図示しない押さえをとじ具６ｃに接続固定して用紙を固定する。なお、図５はファイルの概略構造を示しているため、とじ具６ｃのファイルへの固定方法、固定位置や材質、形状は、同図以外にもさまざまなものがある。各ファイルで共通することは、とじ具６ｃは、いずれの場合も、パンチ穴４に、用紙を破ったりせずスムーズに通る寸法となっていることである。パンチで穴開けした際の奥行きが大きいということは、とじ具６ｃをパンチ穴４に通して仮固定した際、用紙の端部や、うちわの端部が背６ｄに当たってつっかえてしまうことを意味している。
【実施例２】
【００１５】
図２は、本発明の第２の実施例を示す平面図であり、図示しないＢ５用ファイルに対応したうちわを示している。うちわは、握り部１と扇部２で構成されるが、扇部２の構成が、骨２ａ、扇枠２ｂ、扇紙２ｃからなる場合を示している。握り部１と骨２ａ、扇枠２ｂは、プラスチックの一体成形で製造した場合の例で、これに、扇紙２ｃを表側と、図では見えない裏側にそれぞれ貼り付けたものである。通常、扇紙２ｃには、種々模様や文字が印刷されるが、本実施例では図示を省略した。扇紙２ｃに設けた合せマーク３は、貼り付け以前に印刷により設けた例であり、本実施例ではうちわの一辺のみに設けた。さらに、合せマーク３と図示しないパンチの中心を示す表示とを一致させて穴開けし、パンチ穴４を形成したものである。パンチ穴４は、製造者が開けることも可能であるが、配布または販売した後に、使用者が必要に応じて開けるようにした方が、製造コストも増加せず、使用者にも作る楽しみが増す。うちわ全体のたて横の最大寸法は、Ｂ５用ファイルのたて横最大寸法以下であり、かつ、合せマーク３は、パンチ穴４でファイルにとじた際、うちわがファイルからはみ出さない位置に設定しているのと同時に、パンチ穴４がプラスチック製の骨２ａに一致しない位置としている。パンチに挿入できるうちわの厚さは、パンチの同時穴開け可能枚数あるいは挿入口寸法に左右されるが、通常のプラスチック製うちわの扇部２の厚さは１〜２ｍｍが多く、パンチに挿入して扇紙２ｃに穴を開けるのに特別に挿入口寸法が大きなパンチを用意する必要はない。奥行き調整機能があるパンチを使う場合のみ、骨２ａに当らないよう、若干の調整が必要である。ただし、誤って骨２ａに穴を開けてしまった場合も、ファイルにとじること及び、うちわとして使用することは可能である。
【実施例３】
【００１６】
図３は本発明の第３の実施例を示す平面図である。うちわは、握り部１と扇部２で構成されるが、扇部２の構成が、骨２ａ、扇枠２ｂ、扇紙２ｃからなることを示している。握り部１と骨２ａ、扇枠２ｂは、プラスチックの一体成形で製造した場合の例で、これに扇紙２ｃを表側と、図では見えない裏側に貼り付けた。うちわ全体のたて横の最大寸法を図示しないファイルのたて横最大寸法以下とするという本発明の特徴を満たしながら、２点鎖線で示したＡ４用紙１０より若干小さくした場合の実施例である。扇紙２ｃには、二つのとじ穴５を一辺のみに設けたが、複数の辺に設けることも可能であり、また、図示しないが、他の辺には、使用者が任意にパンチ穴４を開けるための合せマーク３を併用して設けてもよい。二つのとじ穴５の穴径とピッチは、ＪＩＳ規格が規定するパンチを用いて開けた場合と同一の寸法としており、とじ穴５の中心からファイルした際の奥行きに相当する距離は、ＪＩＳ規格が規定する奥行き固定式のパンチの奥行きより小さく設定している。扇枠２ｂがじょうぶなプラスチックであるため、奥行きに相当する距離が短くとも、ファイルにとじたうちわが破損してはずれてしまうことはなく、図示しないファイルのとじ具からファイルの背までの距離が短いファイルでも、うちわが背の部分に当ることを防ぐことができる。
【実施例４】
【００１７】
図４は本発明の第４の実施例を示す平面図であり、Ｂ５用ファイルに対応したうちわの例である。うちわは、握り部１と扇部２で構成されるが、扇部２の構成が、骨２ａ、扇枠２ｂ、扇紙２ｃからなることを示している。握り部１と骨２ａ、扇枠２ｂは、プラスチックの一体成形で製造した場合の例で、これに扇紙２ｃを表側と、図では見えない裏側に貼り付けたものである。特に握り部１は、５本の指全体で握ることができるよう、面積を大きくした例である。うちわ全体のたて横の最大寸法を図示しないファイルのたて横最大寸法以下とするという本発明の特徴を満たしながら、２点鎖線で示したＢ５用紙１１とほぼ同等の大きさとした場合の実施例である。本実施例では、二つのとじ穴５を握り部１の成形の際、同時に成形して設けている。二つのとじ穴５の穴径とピッチは、ＪＩＳ規格が規定するパンチを用いて開けた場合と同一としている。とじ穴５の中心からの奥行きは、ＪＩＳ規格が規定する奥行き固定式のパンチの奥行きより小さく設定している。握り部１がじょうぶなプラスチックであるため、奥行きに相当する距離が短くとも、ファイルにとじたうちわが破損してはずれてしまうことはなく、図示しないファイルのとじ具からファイルの背までの距離が短いファイルでも、うちわが背の部分に当ることを防ぐことができる。なお、とじ穴５の穴径に関しては、ＪＩＳ規格が規定するパンチを用いて開けた場合の穴径よりも大きくして、よりとじやすくすることもできる。その場合、穴径を大きくした分が、とじた際にファイルの中でうちわがいずれかの方向に移動することになるため、いずれかの方向に移動しても、ファイルからはみださないように、うちわのたて横最大寸法及びとじ穴５の位置を設定する必要がある。図４の実施例では、握り部１の、面積が広いプラスチック面にとじ穴５を形成したが、同様の方法で、図示しないが、扇枠２ｂや扇枠２ｂに近い部分の扇骨２ａの面積をとじ穴５の面積以上に広くして、その中にとじ穴５を成形することも可能である。その場合は、扇紙２ｃをとじ穴５まで達しない大きさとして、扇紙２ｃに穴開けする工程を削減することが可能である。
【００１８】
本発明による実施例では、合せマーク３やとじ穴５を設けるうちわの辺の形状を直線状とした、つまり、合せマーク３やとじ穴５から最も近いうちわの端部を直線状としたが、直線に限定されるものではなく、曲線状としたり、波打つ形状としてもよい。その場合、とじようとしたうちわの端部が、ファイルの背に当たってとじられなくならないよう、パンチ穴４やとじ穴５からの奥行きを設定する必要がある。また、近年のうちわには、音が出るもの、香りがするもの、光を出すもの等、送風機能以外の付加価値を付けたものがあるが、これらのうちわについても、本発明によるファイルへの固定という手段は適用することが可能である。さらに伝統的な竹製のうちわの場合、扇枠２ｂに相当するじょうぶな部分がないものが多いが、このような構成のうちわでも、扇紙２ｃにパンチ穴４やとじ穴５を設けてファイルにとじることは可能である。ただしこの場合も、とじたファイルからはみださないようにするための本発明の特徴を満たした設計をしなければならない。
【産業上の利用可能性】
【００１９】
従来からのうちわも、扇部に貼った扇紙だけで見るとほぼＡ４サイズに納まる大きさのため、扇紙を利用者が自分でデザインして自宅で印刷して貼るという商品もある。また、うちわを小型にして、Ａ４サイズに収まるようにして、Ａ４プリンタ用紙の販売コーナでうちわキットとして販売しているものもある。本発明によるうちわも同様の販売方法が可能でありながら、かつファイルにとじるという付加価値を有して消費欲を高める効果がある。また、うちわは販売促進用に広告をデザインして無償で配布されることが多いが、この際、ファイルにとじて携帯できるという付加価値を持った本発明によるうちわは、広告宣伝効果の向上も期待できる。
【図面の簡単な説明】
【００２０】
【図１】本発明の実施例を示す平面図である（実施例１）。
【図２】本発明の実施例を示す平面図である（実施例２）。
【図３】本発明の実施例を示す平面図である（実施例３）。
【図４】本発明の実施例を示す平面図である（実施例４）。
【図５】ファイルの概略構造を説明するための斜視図である。
【符号の説明】
【００２１】
１      握り部
２      扇部
２ａ    骨
２ｂ    扇枠
２ｃ    扇紙
３      合せマーク
４      パンチ穴
５      とじ穴
６ａ    表紙
６ｂ    裏表紙
６ｃ    とじ具
６ｄ    背
１０    Ａ４用紙
１１    Ｂ５用紙
【図１】
2007222524.tif 000003
【図２】
2007222524.tif 000004
【図３】
2007222524.tif 000005
【図４】
2007222524.tif 000006
【図５】
2007222524.tif 000007